(57)【要約】【課題】  レーザ光源から出射する光ビームをモニタできるフロントモニタを配置した光ピックアップにおいて、薄型化を実現可能とすること。【解決手段】  ビームスプリッタに対してレーザ光源と反対方向に配置されレーザ光源から出射した対物レンズ有効径外の光ビームの一部を受光するフロントモニタと、対物レンズ有効径外の光ビームをフロントモニタへと導く板状の反射部材とを備え、フロントモニタを、レーザ光源とビームスプリッタと光検出器の配置された高さ位置と、略同等の高さ位置に配置し、反射部材を、ビームスプリッタの最上端よりも上側となる高さ位置に配置する。【選択図】      図１
2005018955.tif 000002
【特許請求の範囲】
【請求項１】
レーザ光源と、前記レーザ光源から出射した光ビームを光学的情報記録媒体に集光する対物レンズと、前記光ビームの前記光学的情報記録媒体からの反射光ビームを受光する光検出器と、前記レーザ光源から出射した光ビームおよび前記反射光ビームを透過あるいは反射するビームスプリッタと、前記レーザ光源から出射した対物レンズ有効径外の光ビームを反射する反射部材と、前記ビームスプリッタに対して前記レーザ光源と反対方向に配置され、前記反射部材により反射された光ビームを受光するフロントモニタとを、備えたことを特徴とする光ピックアップ。
【請求項２】
請求項１に記載の光ピックアップにおいて、
前記フロントモニタを、前記レーザ光源と前記ビームスプリッタと前記光検出器の配置された高さ位置と、略同等の高さ位置に配置し、
前記反射部材を板状のミラーとして、前記反射部材の最上端を、前記ビームスプリッタの最上端よりも上側となる高さ位置に配置したことを特徴とする光ピックアップ。
【請求項３】
請求項１または２に記載の光ピックアップにおいて、
前記反射部材と前記ビームスプリッタとは、平面的に見て互いに重なる領域があることを特徴とする光ピックアップ。
【請求項４】
請求項１または２に記載の光ピックアップにおいて、
前記レーザ光源から出射し前記ビームスプリッタを透過あるいは反射した光ビームを前記フロントモニタに対して遮断する遮光手段を備えたことを特徴とする光ピックアップ。
【請求項５】
請求項１または２に記載の光ピックアップにおいて、
前記レーザ光源内にあるレーザチップの活性層に平行な方向を、前記ビームスプリッタを透過する光ビームの光軸と前記ビームスプリッタで反射する光ビームの光軸とを含む面と略一致させたことを特徴とする光ピックアップ。
【請求項６】
請求項１または２に記載の光ピックアップにおいて、
前記レーザ光源の発光点と前記反射部材の最も前記レーザ光源に近い点との間の距離をＬ１とし、前記レーザ光源の発光点と前記フロントモニタの受光面との間の距離をＬ２としたとき、Ｌ１／Ｌ２×１００を４２〜７５％の範囲内にあるように設定したことを特徴とする光ピックアップ。
【請求項７】
請求項１または２に記載の光ピックアップにおいて、
前記レーザ光源は、第１の波長の光ビームを出射する第１のレーザチップと、前記第１の波長と異なる第２の波長の光ビームを出射する第２のレーザチップとを、同一のケース内に具備した構成であることを特徴とする光ピックアップ。
【請求項８】
第１の波長の光ビームを出射する第１のレーザ光源と、前記第１の波長と異なる第２の波長の光ビームを出射する第２のレーザ光源と、前記第１のレーザ光源から出射した光ビームを反射し前記第２のレーザ光源から出射した光ビームを透過する第１のビームスプリッタと、前記第１のビームスプリッタから到来した光ビームを光学的情報記録媒体の方向に反射し前記光学的情報記録媒体からの反射光ビームを透過する第２のビームスプリッタと、前記第２のビームスプリッタから到来した光ビームを光学的情報記録媒体に集光する対物レンズと、前記光学的情報記録媒体からの反射光ビームを受光する光検出器と、前記第１のビームスプリッタを反射あるいは透過した対物レンズ有効径外の光ビームを反射する反射部材と、前記第２のビームスプリッタに対して前記第１のビームスプリッタと反対方向に配置され、前記反射部材により反射された光ビームを受光するフロントモニタとを、備え、
前記反射部材と前記フロントモニタとを、前記第１のレーザ光源からの対物レンズ有効径外の光ビームの検出と、前記第２のレーザ光源からの対物レンズ有効径外の光ビームの検出とに兼用したことを特徴とする光ピックアップ。
【請求項９】
請求項８に記載の光ピックアップにおいて、
前記フロントモニタを、前記第１のレーザ光源、前記第２のレーザ光源、前記第１のビームスプリッタ、前記第２のビームスプリッタ、前記光検出器の配置された高さ位置と、略同等の高さ位置に配置し、
前記反射部材を板状のミラーとして、前記反射部材の最上端を、前記第２のビームスプリッタの最上端よりも上側となる高さ位置に配置したことを特徴とする光ピックアップ。
【請求項１０】
請求項１ないし９の何れか１項に記載の光ピックアップを搭載し、前記光ピックアップの前記フロントモニタから出力した信号を用いて前記レーザ光源の出射光量を制御するレーザ光源制御手段を有することを特徴とする光学的情報記録再生装置。
【発明の詳細な説明】
【技術分野】
【０００１】
本発明は、光ピックアップおよびそれを搭載した光学的情報記録再生装置（以下、光ディスク装置と記す）に係り、特に、レーザ光源の出射光量を所定量に制御するために、レーザ光源から前方に向けて出射する光ビームの一部を検出するようにした光ピックアップにかかわる技術に関する。
【背景技術】
【０００２】
近年、ＣＤ−Ｒ／ＲＷ、ＤＶＤ−Ｒ／ＲＷ等の情報の記録および再生が可能な光学的情報記録媒体（以下、光ディスクと記す）の普及が著しく、このような記録可能な光ディスクに情報を記録／再生できる光ディスク装置も、各種のものが出回っている。このような光ディスク装置では、内蔵された光ピックアップにより、光ディスクに光ビームを照射して情報を記録し、光ディスクからの反射光ビームを検出して情報を読み取るようになっている。
【０００３】
上記の光ピックアップによる情報の記録および再生においては、安定した記録／再生処理を行うために、光ディスクに照射する光ビームの光量を所定量に制御する必要がある。このため、光ピックアップは、レーザ光源から出射する光ビームの光量を検出する手段を有しており、その検出された光量をレーザ光源の制御回路にフィードバックすることで、光ディスクに照射する光ビームの光量を所定量に制御するようにしている。
【０００４】
レーザ光源から出射した光ビームの光量を検出するには、レーザ光源のチップ内にその後方に向けて出射する光ビームを受光する受光素子を一体に内蔵させた構成のものもあるが、レーザ光源の構造が制約される、実際に用いる前方に向けて出射する光ビームとの対応が必ずしも正確でない、などの理由から、レーザ光源から前方に向けて出射される光ビームの一部を受光する受光素子を設けるのが一般的である。このようにレーザ光源のチップ前方に向けて出射する光ビームを受光する受光素子のことを、本願においては、フロントモニタと称している。
【０００５】
フロントモニタへレーザ光源からの光ビームを導く手法としては、様々な方法が知られているが、例えば特許文献１に示すような手法がある。この特許文献１に記載された光ピックアップでは、レーザ光源から出射した光ビームの一部を、直接フロントモニタに導く構成をとっており、対物レンズ有効径外の光ビームをフロントモニタに導くようにしているため、対物レンズ側に向かう光ビームの光量を低下させることがない、などの特徴をもつ。
【０００６】
また、特許文献２に記載された光ピックアップでは、レーザ光源から出射した光ビームの一部を、集光ミラーにより光ビームの進行方向と異なる方向に反射させ、フロントモニタに導く構成をとっており、集光ミラーを設けることで、所望の位置にフロントモニタを配置することができる、などの特徴をもつ。この特許文献２に記載された光ピックアップにおいても、特許文献１と同様に、対物レンズ有効径外の光ビームをフロントモニタに導くようにしているため、対物レンズ側に向かう光ビームの光量を低下させることがない。
【特許文献１】特開２００１−９３１８３号公報
【特許文献２】特開２００１−１８４７０９号公報
【発明の開示】
【発明が解決しようとする課題】
【０００７】
先述したような、従来の光ピックアップのフロントモニタの構成を、光学部品の実装するスペースが小さくて高さの低い（厚みの薄い）光ピックアップに採用しようとすると、特許文献１ではフロントモニタ自体が、また特許文献２では集光ミラーが、それぞれ光ピックアップの高さ方向にはみ出てしまい、実装できないという問題が発生する。
【０００８】
本発明は上記のような点に鑑みなされたもので、その目的とするところは、薄型の光ピックアップを実現可能とすることにある。
【課題を解決するための手段】
【０００９】
上記した目的を達成するために、本願による光ピックアップの１つの発明では、
レーザ光源と、レーザ光源から出射した光ビームを光学的情報記録媒体に集光する対物レンズと、光ビームの前記光学的情報記録媒体からの反射光ビームを受光する光検出器と、レーザ光源から出射した光ビームおよび前記反射光ビームを透過あるいは反射するビームスプリッタと、レーザ光源から出射した対物レンズ有効径外の光ビームを反射する反射部材と、ビームスプリッタに対してレーザ光源と反対方向に配置され、反射部材により反射された光ビームを受光するフロントモニタとを、備え、
フロントモニタを、レーザ光源と前記ビームスプリッタと光検出器の配置された高さ位置と、略同等の高さ位置に配置し、
反射部材を板状のミラーとして、反射部材を、ビームスプリッタの最上端よりも上側となる高さ位置に配置した、
構成をとる。
【発明の効果】
【００１０】
本発明によれば、レーザ光源から出射しビームスプリッタの上を通過する光ビームを、ビームスプリッタの上に配置した板状の反射部材により、レーザ光源と略同等の高さに位置するフロントモニタに導く構成とすることで、記録可能なＤＶＤやＣＤに対応した薄型の光ピックアップを実現することができる。
【発明を実施するための最良の形態】
【００１１】
以下、本発明の実施の形態を、図面を用いて説明する。
【００１２】
まず、本発明の光ピックアップの第１実施形態について説明する。本実施形態は、ＤＶＤ系の光ディスクの情報の記録および再生に対応したノートパソコン用の光ピックアップへの適用例である。
【００１３】
図１は、本第１実施形態の光ピックアップ１００の光学系の構成を示す図で、図１の（Ａ）は、光ピックアップを光ディスク側から見た図、図１の（Ｂ）は、図１の（Ａ）のＤＶＤレーザ光源１からフロントモニタ１１までの光学部品を、光検出器９側から見た図である。
【００１４】
図１の（Ａ）を用い、光ピックアップ１００の構成についてまず説明する。ＤＶＤレーザ光源１から、光ビームが発散光として出射される。ＤＶＤ系の光ディスクに情報の記録または情報の再生を行うには、一般的に波長約６６０ｎｍの半導体レーザを用いるのが一般的であり、ＤＶＤレーザ光源１も波長約６６０ｎｍの光ビームを出射するものとする。ＤＶＤレーザ光源１から出射した光ビームは、回折格子２に入射する。回折格子２により光ビームは３本に分岐され、ディファレンシャルプッシュプル法（以下、ＤＰＰ法と記す）による光ディスクのトラッキングエラー信号（以下、ＴＥＳと記す）に用いられる。なお、ＤＰＰ法はごく一般的なＴＥＳの検出法なので説明は省略する。回折格子２を透過した光ビームはハーフミラー（ビームスプリッタ）３で反射し、コリメートレンズ４に導かれ、略平行な光ビームに変換される。コリメートレンズ４を出射した光ビームは、立ち上げミラー５を図中ｚ方向に反射し、アクチュエータ６に搭載された対物レンズ７により光ディスク（図示せず）上に集光される。
【００１５】
光ディスクにより光ビームは反射され、対物レンズ７、立ち上げミラー５、コリメートレンズ４、ハーフミラー３、検出レンズ８を経て、光検出器９に到達する。光ビームにはハーフミラー３を透過するとき所定の非点収差が与えられ、非点収差法による光ディスクのフォーカシングエラー信号（以下、ＦＥＳと記す）の検出に使用される。なお、非点収差法はごく一般的なＦＥＳの検出法なので説明は省略する。検出レンズ８は、非点収差の方向を所定の方向に回転させると同時に光検出器９上での光スポットの大きさを決める働きがある。光検出器９に導かれた光ビームは、光ディスク上に記録されている情報信号の検出と、ＴＥＳおよびＦＥＳなど光ディスク上に集光された光スポットの位置制御信号の検出に使用される。
【００１６】
また、回折格子２を透過した光ビームのうち一部は、ハーフミラー３（ビームスプリッタ）の上部（図中ｚ方向）を通過し、ハーフミラー３の上部にあるフロントモニタ用ミラー（以下、ＦＭミラーと記す）１０にて反射し、フロントモニタ１１に導かれる。なお、ハーフミラー３の後方に配置された遮光壁１２は、ハーフミラー３を透過した光ビームを遮る働きがある。また、ＦＭミラー１０とハーフミラー３とは、その少なくとも一部同士が、平面的には重なるように配置してある。
【００１７】
光ディスク装置では、先述したように光ディスクに信号を記録する際、光ディスク上に所定の光量を照射させるため、レーザ光源の光量を制御する必要があり、このために、フロントモニタ１１は、ＤＶＤレーザ光源１の光量変化を検出し、ＤＶＤレーザ光源１の出射光量を制御するため設置されている。また、フロントモニタ１１の出力信号は、ＤＶＤレーザ光源１のレーザ光源制御回路（ここでは、図示していない）にフィードバックされる。
【００１８】
次に、図１の（Ｂ）を用い、フロントモニタ１１に導かれる光について説明する。ＤＶＤレーザ光源１を出射し回折格子２を透過した光ビームのうち、対物レンズ有効径Ａの範囲内の光は、ハーフミラー３により反射され、対物レンズ７へと進行する。対物レンズ有効径外Ｂの光ビームの一部は、略水平に寝かせて配置された薄板状のＦＭミラー１０により反射され、フロントモニタ１１へと導かれる。
【００１９】
光ディスクに情報を記録するには、光強度の高い光ビームを光ディスクに照射する必要があるため、光ピックアップではレーザ光源から出射した光ビームを効率良く光ディスク上に導かねばならない。そこで、本発明のように、対物レンズ有効径外Ｂの光ビームをフロントモニタ１１のモニタ光に用いることにより、光ディスク上に照射する光を減じることがないという効果がある。
【００２０】
また、ハーフミラー（ビームスプリッタ）３の透過光でなく、ハーフミラー３上を通過する光ビームをフロントモニタ１１へ導くため、フロントモニタ１１の検出光量はハーフミラー３の膜の出来（膜の特性パラツキ）にも依存しないという効果がある。
【００２１】
さらに、対物レンズ有効径外Ｂの光ビームを、特許文献１に記載の技術のように直接フロントモニタで受光することがないため、フロントモニタ１１の高さ位置を他の光学部品と略同じ高さ位置に配置することができ、光ピックアップ１００の厚さを薄くすることが可能となる。
【００２２】
なお、ハーフミラー３の後方に配置された遮光壁１２は、先述したように、ハーフミラー３を透過した光ビームを遮る働きがある。この遮光壁１２を配置することによって、ハーフミラー３を透過した光ビームがフロントモニタ１１に入射し、ＦＭミラー１０で反射された光ビームと干渉することによるフロントモニタ１１の受光量変動を起こさせない効果が得られる。
【００２３】
また、ハーフミラー３は対物レンズ有効径Ａよりわずかに大きく設定する。これは、ハーフミラー３を光ピックアップ１００へ取り付ける際の取り付け誤差や、ハーフミラー３の作製時の高さパラツキがあっても、対物レンズ有効径Ａの光ビームを減じないようにするためである。
【００２４】
図１の（Ａ）に示したように、光ディスク側から見ると（平面的に見ると）、ＦＭミラー１０とハーフミラー３は、少なくともその一部が重なるよう配置してある。このように配置した理由を、図２を用い説明する。
【００２５】
図２は、ハーフミラー３とＦＭミラー１０の配置関係を示す概略図であり、図１の（Ｂ）と同じ方向から見た図である。図２の（Ａ）、（Ｂ）、（Ｃ）の光ピックアップの高さ（厚み）ｄは全て同一寸法であり、図２の（Ａ）、（Ｂ）、（Ｃ）は、それぞれＦＭミラー１０ａ、１０ｂ、１０ｃの配置位置が異なっている状態を表わしている。なお、図２においては、ここでの説明に不必要な部品についてはその記載を省略してある。
【００２６】
図２（Ａ）では、ＦＭミラー１０ａは、ハーフミラー３よりもフロントモニタ１１側に寄せて配置してある。ＤＶＤレーザ光源１から出射した光ビームのうち対物レンズ有効径外の光ビームは、ＦＭミラー１０ａで反射しフロントモニタ１１へと導かれる。この図２の（Ａ）のようにＦＭミラー１０ａを配置すると、ハーフミラー３の高さ（図中ｚ方向）による制限によって、フロントモニタ１１へ導かれる光ビームの有効径Ｂが非常に狭くなってしまう。このため、ハーフミラー３の高さのバラツキにより、フロントモニタ１１の受光量は大きく変動してしまいやすい。
【００２７】
図２の（Ｂ）では、ＦＭミラー１０ｂは、光ディスク側から見ると（図中ｘ、ｙ平面）、ハーフミラー３と重なる領域があるように配置してある。図２の（Ａ）の場合と同様に、ＤＶＤレーザ光源１から出射した光ビームのうち対物レンズ有効径外の光ビームは、ＦＭミラー１０ｂで反射しフロントモニタ１１へと導かれる。この図２（Ｂ）のようにＦＭミラー１０ｂを配置すると、図２の（Ａ）場合に比べ光ビームの有効径Ｂを広くとれ、ハーフミラー３の高さのバラツキに対して、フロントモニタ１１の受光量変動を小さく抑えられる。
【００２８】
図２の（Ｃ）では、ＦＭミラー１０ｃは、ハーフミラー３よりもＤＶＤレーザ光源１側に寄せて配置してある。図２の（Ａ）、（Ｂ）の場合と同様に、ＤＶＤレーザ光源１から出射した光ビームのうち対物レンズ有効径外の光ビームは、ＦＭミラー１０ｃで反射しフロントモニタ１１へと導かれる。この図２の（Ｃ）のようにＦＭミラー１０ｃを配置すると、図２の（Ａ）、（Ｂ）の場合に比べ光ビームの有効径Ｂを非常に広くすることが可能となる。しかし、レーザ光源１である半導体レーザはガウシアン型の強度分布をもっているため、図中１点鎖線で記したレーザ光源１の出射ビームの光軸から離れる程に、光強度が弱くなっていくため、フロントモニタ１１に導かれる光ビームの強度が非常に小さくなり、ＳＮが悪くなりやすい。
【００２９】
このように、ＦＭミラー１０は、ハーフミラー３に対してフロントモニタ１１側に寄せすぎると受光量変動が生じ、逆にＤＶＤレーザ光源１側に寄せすぎると受光量不足が生じやすい。このため、図２の（Ｂ）のように、ＦＭミラー１０ｂを光ディスク側から見ると（図中の（ｘ、ｙ）面で見ると）、ハーフミラー３と重なる領域があるように配置することで、受光量変動と受光量不足の両方の問題を解決できる。
【００３０】
また、ハーフミラー３の後方に配置されているフロントモニタ１１は、その高さ位置を、レーザ光源１やハーフミラー３や光検出器９と略同一高さ位置となるように配置することで、フロントモニタ１１を光ピックアップ１００の高さ（厚さ）ｄ（例えば、ｄ＝６．４ｍｍ）の範囲内に、容易に実装することができる。また、ハーフミラー３の上方に配置した薄板状のＦＭミラー１０は、略水平（図中の（ｘ、ｙ）面と略平行）に寝かせて配置してあるので、たとえハーフミラー３の上方位置であっても、ＦＭミラー１０の配置高さは、アクチュエータ６に搭載されて光ピックアップ１００内で最上部に位置する対物レンズ７の高さよりも、低く抑えることができる。よって、対物レンズ有効径外の光ビームをフロントモニタ１１に導くモニタ光学系の構成であっても、高さの低い薄型のノートパソコン用の光ピックアップに採用可能な薄型のフロントモニタ光学系の構成が実現でき、しかも、ＦＭミラー１０は低価格であるので、光ピックアップのコストを押し上げることもない。
【００３１】
なお、本実施形態では、ＦＭミラー１０を（ｘ、ｙ）面と略平行に配置したが、ＦＭミラー１０はｙ軸を中心に回転させてもよい。こうすることで、フロントモニタ１１はｘ軸方向の所望の位置に配置させてやることが可能となる（なお、これは以下の実施形態においても同様である）。
【００３２】
なおまた、本実施形態では、フロントモニタ１１は（ｚ、ｙ）面に平行になるよう配置してあるが、フロントモニタ１１はその平面を、ＦＭミラー１０からの反射光ビームと略直交するように傾けて配置させても構わない。これは、ＦＭミラー１０からの反射光ビームとフロントモニタ１１が略直交するように配置することで、フロントモニタ１１の受光感度を向上させることができるからである。
【００３３】
また、またＤＶＤレーザ光源１内に搭載されたレーザチップの活性層の方向は、水平面である（ｘ、ｙ）面（すなわち、ハーフミラー３で反射される光ビームの光軸とハーフミラー３を透過する光ビームの光軸とを含む面）と平行になるように設定されている。これは、光ディスクのトラック接線に平行な方向の光ディスク上の集光スポットを小さくするためと、フロントモニタ１１に到達する光ビーム光量を確保するためである。
【００３４】
図３を用い、ＤＶＤレーザ光源１内に搭載されたレーザチップの活性層の方向と、フロントモニタ１１に到達する光量との関係について説明する。図３は、ＤＶＤレーザ光源１内のレーザチップ１３から光ビームが発散光として出射され、ハーフミラー３まで進行したときの光ビームの光強度分布１４を示したものである。図３の（Ａ）はレーザチップ活性層の方向が（ｘ、ｙ）面に平行な場合、図３（のＢ）は（ｚ、ｘ）面に平行な場合をそれぞれ示している。
【００３５】
図３の（Ａ）に示すように、一般的にＤＶＤレーザ光源１内のレーザチップ１３の活性層の方向が（ｘ、ｙ）面に平行な場合には、光ビームの広がり角度はｙ方向よりもｚ方向の方が広くなる。そのため、光強度分布１４はｚ方向の広がりが大きくなるため、ＦＭミラー１０に到達する対物レンズ有効径範囲外Ｂの光ビームの光量が多くなるので、フロントモニタ１１に十分な光ビームを導くことができる。
【００３６】
逆に、図３の（Ｂ）に示すように、レーザチップ１３の活性層の方向を（ｚ、ｘ）面に平行とすると、光強度分布１４はｚ方向の広がりが狭くなるため、ＦＭミラー１０に到達する対物レンズ有効径範囲外Ｂの光ビームの光量が少なくなるので、フロントモニタ１１に到達する光量は非常に小さくなってしまう。このため、光学部品のずれや、光ビームの広がり角の変動により、フロントモニタ１１の受光量が大きく変動してしまうという問題が発生してしまう。
【００３７】
以上のことから、ＤＶＤレーザ光源１内のレーザチップ１３の活性層の方向は（ｘ、ｙ）面に平行になるように配置する。この方向にレーザチップ１３の活性層を配置することで、フロントモニタ１１に到達する光量を十分に確保できる共に、フロントモニタ１１の受光量の変動の少ない構成とすることができる。
【００３８】
なお、上述した説明ではＤＶＤ用の光ピックアップについて述べたが、ＣＤやＢｌｕ−ｒａｙの記録可能な光ピックアップや、ＤＶＤとＣＤのレーザ光源を同一のケース内に具備したマルチレーザ光源から構成される光ピックアップなどに、同様の構成のフロントモニタ光学系を採用することで、ＤＶＤ用の光ピックアップと同様に、厚さの薄い光ピックアップを実現することができる。
【００３９】
また、本実施形態では、ノートパソコン用の光ピックアップへの適用例を説明したが、ノートパソコン用の光ピックアップに限定するものではなく、ＤＶＤレコーダーなどへの適用も可能である。
【００４０】
次に、本発明の光ピックアップの第２実施形態について説明する。本実施形態は、ＤＶＤ、ＣＤ双方の光ディスクの情報の記録および再生に対応したノートパソコン用の光ピックアップへの適用例である。
【００４１】
図４は、本第２実施形態の光ピックアップ２００の光学系の構成を示す図で、図４の（Ａ）は、光ピックアップを光ディスク側から見た図、図４の（Ｂ）は、図４（Ａ）のＣＤレーザ光源３０からフロントモニタ２９までの光学部品を、図４の（Ａ）中の太線矢印の方向から見た図である。
【００４２】
図４の（Ａ）を用い、まずＤＶＤの光学系について説明する。ＤＶＤレーザ光源１５からはＤＶＤ光ビームが発散光として出射される。光ピックアップの第１実施形態で説明したように、ＤＶＤレーザ光源１５からは波長約６６０ｎｍの光ビームが出射する。ＤＶＤレーザ光源１５から出射したＤＶＤ光ビームは、１／２波長板１６を透過し、回折格子１７に入射する。ＤＶＤ光ビームは、１／２波長板１６にてｚ方向から（ｘ、ｙ）面に平行な方向の直線偏光に変換され、回折格子１７により３本に分岐されて、ＤＰＰ法による光ディスクのＴＥＳに用いられる。回折格子１７を透過した光ビームは、ハーフプリズム（ビームスプリッタ）１８を反射する。続いて、ダイクロハーフミラー（ビームスプリッタ）１９を反射し、ワイドバンド１／４波長板２０により円偏光に変換される。続いて、コリメートレンズ２１に導かれ、略平行なＤＶＤ光ビームに変換される。コリメートレンズ２１を出射したＤＶＤ光ビームは、立ち上げミラー２２をｚ方向に反射し、アクチュエータ２３に搭載された対物レンズ２４により、光ディスク（図示せず）上に集光される。
【００４３】
光ディスクによりＤＶＤ光ビームは反射され、対物レンズ２４、立ち上げミラー２２、コリメートレンズ２１を経て、ワイドバンド１／４波長板２０に到達する。ワイドバンド１／４波長板２０では、円偏光が往路とは垂直な方向の直線偏光に変換される。その後、ＤＶＤ光ビームは、ダイクロハーフミラー１９、検出レンズ２５を透過し、光検出器２６に到達する。ＤＶＤ光ビームには、ダイクロハーフミラー１９を透過するとき所定の非点収差が与えられ、非点収差法によるＦＥＳの検出に使用される。検出レンズ２５は、非点収差の方向を所定の方向に回転させると同時に光検出器２６上での光スポットの大きさを決める働きがある。光検出器２６に導かれたＤＶＤ光ビームは、光ディスク上に記録されている情報信号の検出と、ＴＥＳおよびＦＥＳなど光ディスク上に集光された光スポットの位置制御信号の検出に使用される。
【００４４】
また、ハーフプリズム１８を反射したＤＶＤ光ビームのうちの一部は、ダイクロハーフミラー（ビームスプリッタ）１９の上部にあるＦＭミラー２７にて反射し、フロントモニタ２９に導かれる。
【００４５】
次に、ＣＤ光学系について説明する。ＣＤレーザ光源３０からは、波長約７８０ｎｍのＣＤ光ビームが発散光として出射される。ＣＤ系の光ディスクに情報の記録または情報の再生を行うには、一般的に波長約７８０ｎｍの半導体レーザを用いるのが一般的である。ＣＤレーザ光源３０から出射したＣＤ光ビームは、補正レンズ３１を経て回折格子３２に入射する。高倍速記録を求められるＣＤ光学系は、ＤＶＤ光学系に比べ、光ディスク上で光ビームを小さく絞るよりも光ディスク上により強い光パワーを伝える必要があるため、倍率を低く設定しなければならない。このため、ＣＤ光学系には、補正レンズ３１を配置することで、ＤＶＤ光学系と倍率を変えている。回折格子３２に導かれたＣＤ光ビームは３本に分岐され、ＤＰＰ法による光ディスクのＴＥＳに用いられる。回折格子３２を透過したＣＤ光ビームは（ｘ、ｙ）平面に平行な偏光のため、ハーフプリズム（ビームスプリッタ）１８を透過する。続いて、ダイクロハーフミラー（ビームスプリッタ）１９を反射し、ワイドバンド１／４波長板２０により円偏光に変換される。続いて、コリメートレンズ２１に導かれ略平行なＣＤ光ビームに変換される。コリメートレンズ２１を出射したＣＤ光ビームは、立ち上げミラー２２をｚ方向に反射し、アクチュエータ２３に搭載された対物レンズ２４により、光ディスク（図示せず）上に集光される。
【００４６】
光ディスクによりＣＤ光ビームは反射され、対物レンズ２４、立ち上げミラー２２、コリメートレンズ２１を経て、ワイドバンド１／４波長板２０に到達する。ワイドバンド１／４波長板２０では、円偏光が往路とは垂直な方向の直線偏光に変換される。その後、ＣＤ光ビームは、ダイクロハーフミラー１９、検出レンズ２５を透過し、光検出器２５に到達する。ＣＤ光ビームにも、ダイクロハーフミラー１９を透過するとき所定の非点収差が与えられ、非点収差法によるＦＥＳの検出に使用される。検出レンズ２５は、非点収差の方向を所定の方向に回転させると同時に光検出器２６上での光スポットの大きさを決める働きがある。光検出器２６に導かれたＣＤ光ビームは、光ディスク上に記録されている情報信号の検出と、ＴＥＳおよびＦＥＳなど光ディスク上に集光された光スポットの位置制御信号の検出に使用される。
【００４７】
また、ハーフプリズム１８を透過した光のうちの一部は、ＤＶＤ光学系と同様に、ダイクロハーフミラー（ビームスプリッタ）１９の上部にあるＦＭミラー２７にて反射し、フロントモニタ２９に導かれる。
【００４８】
次に、図４の（Ｂ）を用い、フロントモニタ２９に導かれる光について説明する。ＣＤレーザ光源３０を出射したＣＤ光ビームと、ＤＶＤレーザ光源１５を出射したＤＶＤ光ビームは、それぞれハーフプリズム（ビームスプリッタ）１８により、ダイクロハーフミラー（ビームスプリッタ）１９およびＦＭミラー２７に向かって進行する。この進行する光ビームのうち、対物レンズ有効径Ａの範囲内の光ビームは、ダイクロハーフミラー１９により反射されて、対物レンズ２４へと進行し、対物レンズ有効径外Ｂの光ビームは、ＦＭミラー２７により反射されて、フロントモニタ２９へと導かれる。
【００４９】
なお、ダイクロハーフミラー１９の後方に配置された遮光壁２８は、ダイクロハーフミラー１９を透過した光ビームを遮る働きがある。この遮光壁２８を配置することにより、ダイクロハーフミラー１９を透過した光ビームがフロントモニタ２９に入射し、ＦＭミラー２７で反射された光ビームと干渉することによるフロントモニタ２９の受光量変動を起こさせない効果が得られる。
【００５０】
本実施形態による光ピックアップでも、先述した光ピックアップの第１実施形態と同様に、対物レンズ有効径Ｂの光ビームを用いることにより、光ディスク上に照射する光ビームを減じることがないという効果と、ダイクロハーフミラー１９の膜の出来（特性バラツキ）に依存しない効果とを有する。また、ＤＶＤ光ビームとＣＤ光ビームを共にＦＭミラー２７で反射させ、所定のフロントモニタ２９の位置に導くことで、ＤＶＤとＣＤでフロントモニタ、ＦＭミラーの共用化を図ることができ、薄型化と小型化と低コスト化を実現できる。さらに、特許文献２に記載の従来の光ピックアップのようにフロントモニタ導光用の光学部品にて光路外へ反射させる構成では実現できなかった、ＤＶＤ、ＣＤの双方に対応した光学系を実現できる。
【００５１】
また、ＤＶＤレーザ光源１５とＣＤレーザ光源３０の各々の中に搭載されたレーザチップの活性層の方向は、ともに（ｘ、ｙ）面に平行になるように設定している。このため、ＤＶＤとＣＤの両方の光学系とも、光ディスクのトラック接線方向に平行な方向の光ディスク上の集光スポットを小さくできると共に、フロントモニタ２９に到達する光量を各々最大にすることができる。
【００５２】
なお、ＤＶＤとＣＤの光学系は各々倍率が異なるため、倍率の低いＣＤの光学系の方がフロントモニタ２９に到達する光量が小さくなってしまう。このため、フロントモニタ２９に到達する光量の差がＤＶＤとＣＤの光学系で小さくなるように、ＤＶＤレーザ光源１５内に搭載されたレーザチップの活性層の方向は、（ｘ、ｙ）面に平行な方向からＤＶＤ光ビームの光軸廻りに所定量回転させてもよい。
【００５３】
また、フロントモニタ２９に到達する光量の差を、ＤＶＤの光学系とＣＤの光学系とで小さくするための手法としては、ＦＭミラー２７とフロントモニタ２９の間の空間にダイクロフィルターなどを挿入する手法を採ってもよい。
【００５４】
またここでは、ＤＶＤとＣＤとに共に記録可能なコンビ光ピックアップについて説明したが、ＤＶＤのみ記録するＤＶＤとＣＤのコンビ光ピックアップなど、Ｂｌｕ−ｒａｙを含めた各種のコンビ光ピックアップに採用しても、厚さの薄い光ピックアップを実現することができる。
【００５５】
またここでは、ビームスプリッタとしてダイクロハーフミラーを用いたが、プリズムなどを用いても構わない。
【００５６】
また、反射部材として低コストなミラー（ＦＭミラー）を用いることを想定したが、対物レンズ有効径外の光ビームをフロントモニタに導く光学部品として、光ファイバーや、プリズムなどを用いても構わない。
【００５７】
また、フロントモニタに到達する光ビームの光量を稼ぐため、反射部材とフロントモニタの間に集光用のレンズを配置しても構わない。
【００５８】
なお、光ピックアップの第１、第２実施形態では、ＴＥＳの検出にはＤＰＰ法を想定したが、ディファレンシャルフェーズディテクションや３スポット法など、どのような方法を用いても構わない。また、光ピックアップの第１、第２実施形態では、ＦＥＳの検出には非点収差法を想定したが、ナイフエッジ法やスポットサイズ法など、どのような方法を用いても構わない。このため、それぞれの検出法にてＴＥＳ、ＦＥＳ、光ディスクの情報信号が検出できる構成ならば、光検出器９や２６の受光面は、どのような形状をしていても構わない。なお、これらは以下の光ピックアップの実施形態においても同様である。
【００５９】
次に、図５を用いて、本発明の光ピックアップの第３実施形態について説明する。図５は、本第３実施形態の光ピックアップ１０１の光学系の構成を示す図で、図５において、図１に示した構成要素と同一の構成要素には同一符号を付してある。
【００６０】
本実施形態のピックアップ１０１におけるレーザ光源３３は、図１に示した光ピックアップ１００に搭載されたＤＶＤレーザ光源１とは、内蔵されるレーザチップの構成が異なるものとなっている。すなわち、本実施形態におけるレーザ光源３３は、波長約６６０ｎｍの光ビームを出射するＤＶＤ用レーザチップ３４ａと、波長７８０ｎｍの光ビームを出射するＣＤ用レーザチップ３４ｂとを、１個のケース内に具備したマルチレーザとなっている。
【００６１】
また、マルチレーザ構成のレーザ光源３３を搭載したため、光検出器３５の受光面は、ＤＶＤ、ＣＤ共に受光できるように、図１の光検出器９の受光面とは異なった構成になっている。
【００６２】
上記のようなレーザ光源３３を搭載したことで、ＤＶＤとＣＤとに共に記録可能な、ＤＶＤ記録／ＣＤ記録のコンビ光ピックアップを、薄型、小型、低コストで実現できる。
【００６３】
本実施形態においても、光ピックアップの第１実施形態で説明したのと同様に、フロントモニタ１１においては、ＦＭミラー１０を反射した光ビームを検出するようにしており、光ビームの対物レンズ有効径外の光のみを、薄型の光ピックアップの構成で受光することが可能である。
【００６４】
次に、図６を用いて、本発明の光ピックアップの第４実施形態について説明する。図６は、本第４実施形態の光ピックアップ２０１の光学系の構成を示す図で、図６において、図４に示した構成要素と同一の構成要素には同一符号を付してある。
【００６５】
本実施形態におけるダイクロハーフミラー（ビームスプリッタ）５０は、図４に示した光ピックアップ２００に搭載されたダイクロハーフミラー（ビームスプリッタ）１９とは、光ビームの入射する角度が異なった構成になっている。
【００６６】
本実施形態では、ハーフプリズム（ビームスプリッタ）１８で反射したＤＶＤ光ビームとハーフプリズム（ビームスプリッタ）１８を透過したＣＤ光ビームは、４５度の角度でダイクロハーフミラー（ビームスプリッタ）５０に入射する構成となっている。一般的に、入射する角度が小さいと、ダイクロハーフミラーには反射率の高い膜が形成しやすく、逆に入射する角度が大きいと、ダイクロハーフミラーには透過率の高い膜が形成しやすい。
【００６７】
本実施形態の光ピックアップ１０１においては、図４に示した光ピックアップ２００（ダイクロハーフミラー１９へ入射する角度＝３０度）と比べ、ダイクロハーフミラー５０へ入射する角度を４５度としているので、ダイクロハーフミラー５０の透過率を上げ、光検出器２６への光量を稼ぐことができるという効果がある。このため、光ディスク表面反射率の低いＤＶＤ−ＲＡＭでは、光ディスクを反射した光ビームを高い効率で光検出器９に導くことができ、再生性能を向上させることができる。
【００６８】
次に、図７を用いて、本発明の光ピックアップの第５実施形態について説明する。図７は、本第５実施形態の光ピックアップ２０２の光学系の構成を示す図で、図７において、図４に示した構成要素と同一の構成要素には同一符号を付してある。
【００６９】
まず、ＤＶＤ光学系について説明する。ＤＶＤレーザ光源１５からは、ＤＶＤ光ビームが発散光として出射され、１／２波長板１６、回折格子１７を経て、ハーフプリズム（ビームスプリッタ）５１を反射する。続いて、ワイドバンド１／４波長板２０を透過し、コリメートレンズ２１に導かれて略平行なＤＶＤ光ビームに変換され、立ち上げミラー２２をｚ方向に反射し、アクチュエータ２３に搭載された対物レンズ２４により、光ディスク上に集光される。光ディスクによりＤＶＤ光ビームは反射され、対物レンズ２４、立ち上げミラー２２、コリメートレンズ２１、ハーフプリズム（ビームスプリッタ）５１、ダイクロハーフミラー（ビームスプリッタ）５５、検出レンズ２５を透過し、光検出器２６に到達する。また、回折格子１７を透過したＤＶＤ光ビームのうちの一部は、ハーフプリズム５１の上部にあるＤＶＤ用ＦＭミラー５２にて反射し、ＤＶＤ用フロントモニタ５４に導かれる。なお、遮光壁５３は、ハーフプリズム５１を透過した光がＤＶＤ用フロントモニタ５４に到達する光を遮る働きがある。
【００７０】
次に、ＣＤ光学系について説明する。ＣＤレーザ光源３０からは、ＣＤ光ビームが発散光として出射され、補正レンズ３１、回折格子３２を経て、ダイクロハーフミラー（ビームスプリッタ）５５を反射し、ハーフプリズム（ビームスプリッタ）５１、ワイドバンド１／４波長板２０を透過し、コリメートレンズ２１に導かれて略平行なＣＤ光ビームに変換される。コリメートレンズ２１を出射したＣＤ光ビームは、立ち上げミラー２２をｚ方向に反射し、アクチュエータ２３に搭載された対物レンズ２４により、光ディスク上に集光される。光ディスクによりＣＤ光ビームは反射され、対物レンズ２４、立ち上げミラー２２、コリメートレンズ２１、ワイドバンド１／４波長板２０、ハーフプリズム５１、ダイクロハーフミラー５５、検出レンズ２５を透過し、光検出器２５に到達する。回折格子３２を透過した光のうちの一部は、ダイクロハーフミラー５５の上部にあるＣＤ用ＦＭミラー５６にて反射し、ＣＤ用フロントモニタ５８に導かれる。なお、遮光壁５７は、ダイクロハーフミラー５５を透過した光がＤＶＤ用フロントモニタ５４に到達する光を遮る働きがある。
【００７１】
ＤＶＤ光学系とＣＤ光学系とでは、各々倍率や、各々光ビームの広がり角度が異なるため、各々フロントモニタに到達する光量が異なったものとなる。本実施形態の光ピックアップ２０２のように、ＤＶＤ光学系とＣＤ光学系の各々にフロントモニタを設けることで、電気的増幅率を各々最適な値に設定できるという効果が得られる。
【００７２】
図８は、図４に示し先述した第２実施形態の光ピックアップの斜視図を示したものである。この図８を用いて、対物レンズ有効径外の光ビームをフロントモニタに導くモニタ光学系の構成の薄型実装について説明する。なお、光ピックアップの組み立て時には、情報信号、ＴＥＳ、ＦＥＳ等の検出信号などをモニタしながら光学部品を調整しなければならないため、検出レンズ２５や、補正レンズ３１などは、図４と異なり、調整用ケース内に内蔵されている。
【００７３】
フロントモニタ２９や光検出器２６などは、光を受光する素子から外部に電気信号を出力するため、図８のように大きな部品となっている。フロントモニタ２９は、本発明による配置構成を採ることで、ＤＶＤ用レーザ光源１５、ＣＤ用レーザ光源３０、ハーフプリズム（ビームスプリッタ）１８、ダイクロハーフミラー（ビームスプリッタ）１９、光検出器２６と、略同じ高さ位置に配置することができる。また、ＦＭミラー２７を、ダイクロハーフミラー（ビームスプリッタ）１９の上部（図中ｚ方向）に略水平に寝かせて配置することで、ＦＭミラー２７の高さを、アクチュエータ２３に搭載された対物レンズ２４の高さよりも低く抑えつつ、対物レンズ有効径外の光ビームをフロントモニタ２９に、受光量変動と光量不足の虞なく、確実に導くことを実現している。
【００７４】
続いて、図９を用いて、本発明によるフロントモニタ光学系の構成が薄型実装に最適であることを説明する。図９は、レーザ光源６０から出射した光ビームのうち対物レンズ有効径外の光ビーム６１をフロントモニタ６３に導く構成を、いくつか示したものである。なお、図９中において、ｄは光ピックアップの高さを表わしたもので、図９の（Ａ）、（Ｂ）、（Ｃ）で全て同一寸法である。
【００７５】
まず、図９の（Ａ）は、本発明のフロントモニタ光学系の構成であり、対物レンズ有効径外の光ビーム６１を、略水平に寝かせてた薄板状の反射部材６２によって、後方に配置したフロントモニタ６３に導くものである。このフロントモニタ光学系の構成は、上述してきたように、光ピックアップの高さｄを最も小さくできる。
【００７６】
図９の（Ｂ）は、対物レンズ有効径外の光ビーム６１を、反射部材を用いず直接フロントモニタ６３で受光するようにした光学系構成を示したものである。この構成では、図９の（Ａ）に比べて反射部材を削除できるメリットがあり、デスクトップＰＣ用の光ピックアップによく用いられている。しかし、高さの制約のきついノートＰＣ用の光ピックアップにおいては、フロントモニタ６３が図に示すように光ピックアップの全高ｄ（例えば、ｄ＝６．４ｍｍ程度）からはみ出してしまい、実際には実装できないという問題がある。
【００７７】
図９の（Ｃ）は、反射部材６５にて、対物レンズ有効径外の光ビーム６１を、横（図中ｙ方向）に反射させるフロントモニタ光学系の構成である。この構成は、図９の（Ｂ）に対し実装が容易となるため、デスクトップＰＣ用の光ピックアップによくみられる。しかし、高さの制約のきついノートＰＣ用の光ピックアップでは、反射部材６５が図に示すように光ピックアップの全高ｄからはみ出してしまい、実際には実装できないという問題がある。ノートＰＣ用の光ピックアップに部品を実装するため、反射部材６５を反射部材６６のように小型化すると、部品が非常に小さくなるため取り付けが困難になるだけでなく、部品ずれによる光量変動が大きくなる等の問題が発生してしまう。また、反射部材６５が下（図中ｚ方向）にずれることにより対物レンズ有効径内の光を阻害しないように、反射部材６５の高さには余裕を持たせる必要があり、このフロントモニタ光学系の構成は、薄いノートＰＣ用の光ピックアップには不利な点が多い。
【００７８】
以上述べたように、本発明によるフロントモニタ光学系の構成は、薄型実装を実現しつつ、部品ずれなどにも強い構成となっている。
【００７９】
次に、レーザ光源１の発光点とＦＭミラー１０とフロントモニタ１１の受光面との配置関係について説明する。
【００８０】
まず、図１０に、レーザ光源１の発光点と、ＦＭミラー１０と、フロントモニタ１１の受光面との配置関係の概略を示す。レーザ光源１の発光点とＦＭミラー１０の最も発光点に近い点との間の距離をＬ１とし、レーザ光源１の発光点とフロントモニタ１１の受光面との間の距離をＬ２とし、Ｌ１とＬ２の比をＦＭミラー相対位置Ｌとしたとき、Ｌ１、Ｌ２、Ｌの間には、
Ｌ＝Ｌ１÷Ｌ２×１００      ……式（１）
上記の式（１）に示す関係がある。
【００８１】
ノートＰＣ用の光ピックアップでは、ＦＭミラー相対位置Ｌを、４２％〜７５％の範囲内に設定すると、最も効率良く対物レンズ有効径外の光ビームをフロントモニタ１１にて検出できる。
【００８２】
次に、図１１を用いて、ＦＭミラー相対位置Ｌの範囲について説明する。図１１は、ＦＭミラー相対位置Ｌとフロントモニタ１１の検出効率との関係を示したグラフである。横軸はＦＭミラー相対位置Ｌ［％］、縦軸はフロントモニタ１１の検出効率［％］である。フロントモニタ１１の検出効率は、レーザ光源１を出射した光ビームのうち対物レンズ７を出射し光ディスクに到達する光ビームの効率と、フロントモニタ１１に到達する光ビームの効率との比として表したものである。なお、このグラフはノートＰＣ用の光ピックアップを想定したものであり、レーザ光源１とフロントモニタ１１は同一の高さに配置し、ＦＭミラー１０はレーザ光源１から高さ２．４ｍｍの位置に設定したときの計算値である。この２．４ｍｍという高さは、一般的なノートＰＣ用の光ピックアップの厚みから算出される上限値である。
【００８３】
図１１に示すグラフから見て取れるように、検出効率は、ＦＭミラー相対位置Ｌが略６０％のときに最大値をとる。検出効率は経験上２．５％以上あれば良く、これを満たすにはＦＭミラー相対位置Ｌを４２％ないし７５％に設定する必要がある。このような範囲にＦＭミラー相対位置Ｌを設定することで、対物レンズ有効径外の光ビームをフロントモニタで効率良く検出することができる。
【００８４】
次に、図１２を用いて、本発明の光ディスク装置の実施形態について説明する。本実施形態の光ディスク装置は、上述してきた光ピックアップの各実施形態の何れかの構成の光ピックアップを搭載した光ディスク装置となっている。
【００８５】
図１２は、記録および再生が可能な本実施形態の光ディスク装置の概略構成を示す図である。図１２に示す構成において、光ピックアップ４６から検出された信号は、信号処理回路内のサーボ信号生成回路４９、フロントモニタ用回路３７、情報信号再生回路４０に送られる。サーボ信号生成回路４９では、これら検出信号から各光ディスクに適したＦＥＳやＴＥＳを生成し、これをもとにコントロール回路４２がアクチュエータ駆動回路３６を制御して、アクチュエータ駆動回路３６により光ピックアップ４６内の対物レンズアクチュエータを駆動し、対物レンズの位置制御を行う。フロントモニタ用回路３７では、フロントモニタからの検出信号からレーザ光源の光量モニタ信号を検出し、これをもとにレーザ光源制御回路３８を駆動して、光ディスク４７上の光量を正確に制御する。情報信号再生回路４０では、前記検出信号から光ディスク４７に記録された情報信号が再生され、その情報信号は情報信号出力端子４４へ出力される。
【００８６】
また、記録情報が記録情報入力端子４５から入力されると、記録情報信号変換回路４１で所定のレーザ駆動用記録信号に変換される。このレーザ駆動用記録信号はコントロール回路４２に送られ、レーザ光源制御回路３８を駆動させてレーザ光源の光量制御を行い、光ディスク４７に記録信号を記録する。なお、コントロール回路４２には、アクセス制御回路３９やスピンドルモータ駆動回路４３なども接続されており、コントロール回路４２の制御のもとに、アクセス制御回路３９による光ピックアップ４６のアクセス方向の位置制御や、スピンドルモータ駆動回路４３によるスピンドルモータ４８の回転制御が行われる。
【図面の簡単な説明】
【００８７】
【図１】本発明の光ピックアップの第１実施形態の構成図である。
【図２】ＦＭミラーの配置の各例を対比して示す説明図である。
【図３】レーザチップの活性層の方向と光ビームの光強度分布との関係を示す説明図である。
【図４】本発明の光ピックアップの第２実施形態の構成図である。
【図５】本発明の光ピックアップの第３実施形態の構成図である。
【図６】本発明の光ピックアップの第４実施形態の構成図である。
【図７】本発明の光ピックアップの第５実施形態の構成図である。
【図８】図４の光ピックアップの斜視図である。
【図９】本発明のフロントモニタ光学系の構成と他のフロントモニタ光学系の構成とを対比して示す説明図である。
【図１０】レーザ光源の発光点とＦＭミラーとフロントモニタの受光面との配置関係の概略を示す説明図である。
【図１１】ＦＭミラー相対位置Ｌとフロントモニタの検出効率との関係を示したグラフである。
【図１２】本発明の光ピックアップを搭載した、本発明による光ディスク装置の実施形態の概略ブロック図である。
【符号の説明】
【００８８】
１  ＤＶＤレーザ光源
２  回折格子
３  ハーフミラー（ビームスプリッタ）
４  コリメートレンズ
５  立上げミラー
６  アクチュエータ
７  対物レンズ
８  検出レンズ
９  光検出器
１０  ＦＭミラー（フロントモニタ用ミラー）
１１  フロントモニタ
１２  遮光壁
１３  レーザチップ
１４  光ビームの光強度分布
１５  ＤＶＤレーザ光源
１６  １／２波長板
１７  回折格子
１８  ハーフプリズム（ビームスプリッタ）
１９  ダイクロハーフミラー（ビームスプリッタ）
２０  ワイドバンド１／４波長板
２１  コリメートレンズ
２２  立上げミラー
２３  アクチュエータ
２４  対物レンズ
２５  検出レンズ
２６  光検出器
２７  ＦＭミラー（フロントモニタ用ミラー）
２８  遮光壁
２９  フロントモニタ
３０  ＣＤレーザ光源
３１  補正レンズ
３２  回折格子
３３  レーザ光源
３４ａ  ＤＶＤ用レーザチップ
３４ｂ  ＣＤ用レーザチップ
３５  光検出器
３６  アクチュエータ駆動回路
３７  フロントモニタ用回路
３８  レーザ光源制御回路
３９  アクセス制御回路
４０  情報信号再生回路
４１  記録情報信号変換回路
４２  コントロール回路
４３  スピンドルモータ駆動回路
４４  情報信号出力端子
４５  情報信号入力端子
４６  光ピックアップ
４７  光ディスク
４８  スピンドルモータ
５０  ダイクロハーフミラー（ビームスプリッタ）
５１  ハーフプリズム（ビームスプリッタ）
５２  ＦＭミラー（フロントモニタ用ミラー）
５３  遮光壁
５４  フロントモニタ
５５  ダイクロハーフミラー（ビームスプリッタ）
５６  ＦＭミラー（フロントモニタ用ミラー）
５７  遮光壁
５８  フロントモニタ
６０  レーザ光源
６１  光ビーム
６２  反射部材
６３  フロントモニタ
６５、６６  反射部材
【図１】
2005018955.tif 000003
【図２】
2005018955.tif 000004
【図３】
2005018955.tif 000005
【図４】
2005018955.tif 000006
【図５】
2005018955.tif 000007
【図６】
2005018955.tif 000008
【図７】
2005018955.tif 000009
【図８】
2005018955.tif 000010
【図９】
2005018955.tif 000011
【図１０】
2005018955.tif 000012
【図１１】
2005018955.tif 000013
【図１２】
2005018955.tif 000014